(57)【要約】【課題】自然で多様な液面の波紋を周囲の壁面に投射して、液中に居るような臨場感を創出可能な空間演出や、自然の持つ優れたリラクゼーション効果を実現できる波紋投射装置を提案する。【解決手段】天井壁８上で、透明板１０により液密状に遮蔽された円形窓部２を、側面壁１１ａ，１１ａ，１１ｂ，１１ｂにより四方で矩形状に囲繞して貯留液槽３を形成し、貯留液槽３の四隅の一角の側傍位置に造波装置５を配設して、一側の側面壁１１ａ，１１ａと平行として、貯留液槽３内の水ｗに浸漬される状態で隅部位置Ｃに配設された造波板３５の揺動により、該揺動方向と平行な他側の側面壁１１ｂ、１１ｂに沿って進行する主要波を生成可能とし、水面上に配設された照光装置４，４からの照明光が、造波装置５により波立った貯留液槽３内の水ｗを透過することにより、天井壁８の下方の壁面に不定形な波紋が投射されるようにした。【選択図】図１
2006185651.tif 000002
【特許請求の範囲】
【請求項１】
天井壁に設けられた、透明板により液密状に遮蔽される円形窓部と、
天井壁上で、円形窓部を四方で矩形状に囲繞する側面壁を具備し、該側面壁内側を液体の貯留領域とする貯留液槽と、
貯留液槽内の、円形窓部を介して天井壁の下方から視認不能となる隅部位置に、一側の側面壁に略平行として該貯留液槽内の液体に浸漬される状態で配設される造波板と、該造波板を他側の側面壁に沿って所定角度範囲で揺動させる駆動手段とを具備し、造波板の揺動により他側の側面壁に沿って進行する主要波を生成するものであり、少なくとも貯留液槽の一角の側傍位置に配設される造波装置と、
液面上に配設され、天井壁の円形窓部を介して、該天井壁の下方に照明光を照射する照光装置とを備えてなり、
照光装置からの照明光が造波装置により波立った貯留液槽内の液体を透過することにより、天井壁の下方の壁面に不定形な波紋が投射されることを特徴とする波紋投射装置。
【請求項２】
貯留液槽が、側面壁を円形窓部の周縁に四方で略接するように矩形状配設してなるものであることを特徴とする請求項１記載の波紋投射装置。
【請求項３】
造波装置が、造波板を間欠的に揺動させる駆動制御手段を備えるものである請求項１又は請求項２に記載の波紋投射装置。
【請求項４】
照光装置が、点光源を備え、該点光源の周囲に遮光板を配設して、該遮光板により、点光源からの照明光の略全てが貯留液槽内の円形窓部上の液面を照射するように覆ってなるものであることを特徴とする請求項１乃至請求項３のいずれかに記載の波紋投射装置。
【発明の詳細な説明】
【技術分野】
【０００１】
本発明は、周囲の壁面に液面の揺らぎや波紋を投射する波紋投射装置に関する。
【背景技術】
【０００２】
従来より、液面の揺らぎや波紋による室内空間の演出や、かかる自然的な空間演出を利用したリラクゼーション効果を目的として、周囲の壁面に液面の揺らぎや波紋を投射する波紋投射装置が提案されている。こうした波紋投射装置は、一般に、特許文献１乃至特許文献３に記載されているように、液体を貯留した貯留液槽と、該貯留液槽内で面方向に並動又は揺動して波を発生させる造波板と、液面上に配設された光源とを備え、該光源からの照明光が、造波板の動作により波立った貯留液槽内の液体を透過して、周囲の壁面を照射することにより、該貯留液槽内の液面の揺らぎや波紋が周囲の壁面に投射されるようになっている。
【０００３】
【特許文献１】特開平５−２２５８０４号公報
【特許文献２】特開平１０−１３４６１０号公報
【特許文献３】特開平１１−５１１３９７号公報
【発明の開示】
【発明が解決しようとする課題】
【０００４】
上記従来の波紋投射装置にあっては、貯留液槽内で波を発生させる造波板が、該貯留液槽の底面壁と略同等の形状や、側面壁と略等しい長さの板幅のものとなっており、その動作によって直接的に発生する伝達速度の速い振幅の大きな波（以下、主要波という。）が、貯留液槽内の液面の略全域に亘って進行することとなっている。このため、貯留液槽内の液面の様態は、常に、主要波に影響されて、主として所定方向のみに波が伝播するような画一的なものとなっている。また、かかる主要波は、その波形が造波板形状に対応した直線状のものとなっており、従来構成にあっては、該主要波が波幅の広いものとなっているため、貯留液槽の側面壁で反射したり、他の波と干渉した場合でも、その波形が略維持されることとなっており、該貯留液槽内の液面の様態は、主要波及び該主要波に起因した直線状の波が交差した、格子状等の幾何学的なものとなっている。さらに、従来の構成にあっては、上記造波板が、規則的に連続して動作することにより、波を発生させるものとなっているため、貯留液槽内の液面は、各所で常に略同等の態様の波が伝播することとなっており、該貯留液槽内の液面の様態は、変化に乏しく所定パターンの波紋が繰り返されるものとなっている。従って、従来の波紋投射装置にあっては、周囲の壁面に不変的で非自然的な液面の波紋が投射されるという、演出性の欠如したものなっており、このため、自然な液面の揺らぎや波紋によってのみ創出される心地よい快適な空間演出やそのリラクゼーション効果が、全く発揮できていないものとなっている。
【０００５】
また、従来の波紋投射装置にあっては、多くの場合、上記造波板の動作が直接視認可能となっており、これにより、周囲の壁面に投射される液面の揺らぎや波紋の非自然さが際立って、その演出性やリラクゼーション効果が著しく低減することとなっている。
【０００６】
本発明は、上記問題点を解決するために発明されたものであり、自然で多様な液面の揺らぎや波紋を周囲の壁面に投射して、液体中に居るような臨場感を創出可能な空間演出を実現し、かつ該自然な空間演出により優れたリラクゼーション効果を発揮することのできる波紋投射装置を提案するものである。
【課題を解決するための手段】
【０００７】
本発明は、天井壁に設けられた、透明板により液密状に遮蔽される円形窓部と、天井壁上で、円形窓部を四方で矩形状に囲繞する側面壁を具備し、該側面壁内側を液体の貯留領域とする貯留液槽と、貯留液槽内の、円形窓部を介して天井壁の下方から視認不能となる隅部位置に、一側の側面壁に略平行として該貯留液槽内の液体に浸漬される状態で配設される造波板と、該造波板を他側の側面壁に沿って所定角度範囲で揺動させる駆動手段とを具備し、造波板の揺動により他側の側面壁に沿って進行する主要波を生成するものであり、少なくとも貯留液槽の一角の側傍位置に配設される造波装置と、液面上に配設され、天井壁の円形窓部を介して、該天井壁の下方に照明光を照射する照光装置とを備えてなり、照光装置からの照明光が造波装置により波立った貯留液槽内の液体を透過することにより、天井壁の下方の壁面に不定形な波紋が投射されることを特徴とする波紋投射装置（請求項１）である。
【０００８】
ここで、透明板とは、ガラス板やアクリル板等の透光性、透視性を有する板材のことをいう。また、主要波とは、造波板の揺動により直接的に発生し、該造波板と平行する対向する側面壁に向けて、揺動方向と平行な隣接する他側の側面壁に沿って伝播する、伝達速度の速い振幅の大きな波を指すものである。
【０００９】
かかる構成にあっては、円形窓部を四方から囲繞する二組の平行な側面壁対を備える矩形状の貯留液槽が設けられる。そして、貯留液槽内の少なくとも一角の隅部位置に、一側の側面壁に略平行として、他側の側面壁に沿って揺動する造波板が配設される。ここで、造波板は、隅部位置に配設され、貯留液槽底面の円形窓部を介して天井壁の下方から視認不能となる小形のものとなっている。従って、造波板の揺動により発生する主要波は、造波板の配設された隅部位置から、造波板と対向する一側の側面壁まで、揺動方向と平行な隣接する他側の側面壁に沿って進行し、貯留液槽内の円形窓部上の液面には、直接的に略伝播しない。そして、円形窓部上の液面には、主要波が反射や干渉することにより派生的に発生する波や、造波板の揺動に引き寄せられて発生する波、造波板の揺動により該造波板端で生じる渦流に起因する波、これらの波の反射波や干渉波等の、副次的に発生する波が夫々伝播し、こうした進行方向や伝達速度、振幅等が様々に異なった波が、該円形窓部上の液面で互いに干渉するものであるため、該液面は、その様態が多様に刻々と変化するものとなる。
【００１０】
また、かかる構成にあっては、造波板により直接的に発生する直線状の波である上記主要波が、造波板と対向する側面壁に向けて進行し、隅部位置で乱反射したり、非直線状の波と干渉する等して、略非直線状となり、副次的な波として、貯留液槽内の円形窓部上の液面に伝播される。このため、円形窓部上の液面には、主として直線状の波が伝播することはなく、不定形で自然な波形が生成される。従って、貯留液槽内の液面上に配設された照光装置からの照明光が、該貯留液槽内に貯留された円形窓部上の液体及び透明板を透過し、円形窓部を介して、天井壁の下方の空間を構成する周壁や床等の壁面に照射されることにより、かかる壁面に、変化に富んだ不定形で自然な液面の揺らぎや波紋が投射されることとなる。
【００１１】
ところで、本発明では、二組の平行な側面壁対により、側面壁を矩形状に配設して貯留液槽を設けている。これは、貯留液槽内の四隅のうちの一角の隅部位置に配設される造波板の揺動により直接的に発生した直線状の主要波を、その直線形状と平行する側面壁に反射させることにより、該主要波が、その直線形状を維持したまま、貯留液槽内の円形窓部上の液面に伝播しないようにするためである。
【００１２】
また、本発明にあっては、天井壁に設ける窓部を円形状のものとしている。これは、かかる形状とすることにより、矩形状の貯留液槽の底面に、造波板を配設するに好適な形状の隅部位置が容易に形成され、かつ、その形状から、主要波の進行する各側面壁の近傍で、窓部面積が極小となって、側面壁に沿って進行する主要波が、窓部上に現れ難くなるからである。また、窓部が円形状の場合では、窓部を方形状とした場合に比べて、該窓部形状によって定まる照光装置の照射範囲が、閉鎖性のない広がりのあるものとなり、これにより、照光装置からの照明光が、自然なものとして感知され易くなって、天井壁の下方の壁面に投射される液面の揺らぎや波紋が、周囲と調和のとれたものとなる。
【００１３】
さらに、本発明にあっては、貯留液槽内の隅部位置で、造波板を鉛直方向や液平方向に平行運動させるのではなく、造波板を所定角度範囲で揺動させることにより、主要波を発生させるようにしている。これは、貯留液槽内に貯留された液体を攪拌して、該貯留液槽内に自然な乱流を発生させるとともに、液体の表面側と内部側とで、造波板から加わる力に差異を生じさせて、表面波と内部波とを備える実際の自然の波の態様に近い波を発生させるためである。
【００１４】
ここで、本発明の波紋投射装置の構成にあって、貯留液槽が、側面壁を円形窓部の周縁に四方で略接するように矩形状配設してなるものである構成（請求項２）が提案される。
【００１５】
かかる構成とすることにより、円形窓部と各側面壁とが近接することとなるため、側面壁で反射した波が、直ぐに、貯留液槽内の円形窓部上の液面に伝播可能となる。また、各側面壁対の距離も短縮することから、側面壁での波の反射頻度や、反射した波が他の波と干渉する頻度も増大して、貯留液槽内の液面には、反射や干渉により多数の副次的な波が生成されることとなる。このため、円形窓部上の液面では、進行方向や伝達速度、振幅等が様々に異なった多数の波が伝播し、互いに干渉することとなって、液面の様態は、一層変化の富んだ多様なものとなる。かかる構成にあっては、造波板の揺動により発生し、揺動方向と平行する側面壁に沿って進行する主要波が、円形窓部上の液面を進行することとなり得るが、本発明では窓部が円形状となっていることから、各側面壁の近傍では、窓部面積が極小となっており、かかる側面壁近傍を進行する主要波が、天井壁の下方の壁面にはほとんど投射されないこととなる。
【００１６】
また、上記構成において、造波装置が、造波板を間欠的に揺動させる駆動制御手段を備えるものである構成（請求項３）が提案される。
【００１７】
かかる構成とすることにより、造波板が貯留液槽内の隅部位置で間欠的に揺動し、上述した主要波が間欠的に発生することとなるため、円形窓部上の液面の各所に伝播する、該主要波や造波板の揺動に起因する副次的な波の態様が、多様に刻々と変化するものとなる。また、これらの副次的な波同士の干渉も間欠的に生じることとなるため、生成される干渉波が過大な振幅のものとはならず、その振幅の増大や減衰が顕著に現れるものとなる。従って、かかる構成により、円形窓部上の液面の様態が、変化に富んだ自然なものとなり、天井壁の下方の空間を構成する周壁や床等の壁面に、不定形で一層自然な液面の揺らぎや波紋が投射されることとなる。ここで、造波板を間欠的に揺動させることに加えて、駆動制御手段によって、造波板の揺動速度や揺動角度範囲を随時変化させるようにすることも効果的である。
【００１８】
さらに、上記構成において、照光装置が、点光源を備え、該点光源の周囲に遮光板を配設して、該遮光板により、点光源からの照明光の略全てが貯留液槽内の円形窓部上の液面を照射するように覆ってなるものである構成（請求項４）が提案される。
【００１９】
かかる構成として、照光装置の光源を点光源とすることにより、一点から照明光が照射されることとなるため、該照明光が太陽光に類似した自然な態様のものとなる。また、該点光源の周囲に遮光板を配設して、照明光が貯留液槽内の円形窓部上の液面のみを透過するよう覆うことにより、照光装置から照射される略全ての照明光が、円形窓部を透過することとなり、照明光が円形窓部を透過せずに反射し、天井壁上方の空間が明るくなることを防止することができる。
【発明の効果】
【００２０】
本発明の波紋投射装置にあっては、造波板の揺動により発生した、伝達速度の速い振幅の大きな直線状の波である主要波が、貯留液槽内の円形窓部上の液面に直接伝播せず、該主要波の反射や干渉、造波板の揺動等に起因して発生した副次的な波が、該円形窓部上の液面に伝播することとなる。そして、こうした進行方向や伝達速度、振幅等が様々に異なった非直線状の副次的な波が、円形窓部上の液面で互いに干渉するものであるため、液面の様態は、多様に刻々と変化する不定形で自然なものとなって、照光装置からの照明光により、天井壁の下方の壁面には、従来構成における直線状の波が交差した幾何学的な波紋とは異なった、不定形で自然な液面の揺らぎや波紋が投射されることとなる。従って、本発明の波紋投射装置にあっては、実際に液体中（具体的には、海中や湖中）に居るような臨場感を創出可能な、自然で心地よい快適な空間演出を実現でき、かかる空間演出により、自然本来の持つ優れたリラクゼーション効果を供与することができる。
【００２１】
ここで、上記構成にあって、貯留液槽が、側面壁を円形窓部の周縁に四方で略接するように矩形状配設してなるものである構成（請求項２）とすることにより、側面壁で反射した波が、直ぐに、貯留液槽内の円形窓部上の液面に伝播可能となり、また、側面壁での波の反射頻度や、反射した波が他の波と干渉する頻度も増大して、貯留液槽内の液面には、多数の副次的な波が生成されることとなる。そして、貯留液槽内の円形窓部上の液面に、こうした進行方向や伝達速度、振幅等が様々に異なった多数の波が伝播して、互いに干渉することとなるため、円形窓部上の液面の様態や、照光装置により天井壁の下方の壁面に投射される液面の揺らぎや波紋は、一層変化に富んだ多様で自然なものとなる。これにより、本発明の波紋投射装置の空間の演出性が向上し、該空間演出によるリラクゼーション効果も一層優れたものとなる。
【００２２】
また、上記構成にあって、造波装置が、造波板を間欠的に揺動させる駆動制御手段を備えるものである構成（請求項３）とすることにより、造波板が貯留液槽内の隅部位置で間欠的に揺動し、上述した主要波が間欠的に発生することとなる。このため、円形窓部上の液面の各所に伝播する、主要波や造波板の揺動に起因する副次的な波の態様が、多様に刻々と変化し、波の振幅の増大や減衰が顕著に現れるものとなる。そして、これにより、円形窓部上の液面の様態や、天井壁の下方の壁面に投射される液面の揺らぎや波紋は、変化に富んだ一層自然なものとなり、本発明の波紋投射装置による空間演出が一層自然で優れたものとなって、該自然な空間演出によるリラクゼーション効果も好適に発揮可能となる。
【００２３】
さらに、上記構成にあって、照光装置が、点光源を備え、該点光源の周囲に遮光板を配設して、該遮光板により、点光源からの照明光の略全てが貯留液槽内の円形窓部上の液面を照射するように覆ってなるものである構成（請求項４）とすることにより、照光装置から天井壁の円形窓部を介して、天井壁の下方に照射される照明光が、太陽光に近い自然でシャープなものとなり、また、かかる自然な照明光の略全てが、円形窓部を透過して、天井壁の下方の壁面に照射されることとなる。このため、照明光によって天井壁の下方の壁面に投射される貯留液槽内の液面の揺らぎや波紋が、実際の太陽光によって形成されるものに近い、一層自然なものとなる。また、天井壁上方の空間が暗い状態に保たれることから、天井壁の下方の壁面に投射される液面の揺らぎや波紋が、一層鮮明で周囲と調和のとれたものとなり、さらに、波紋投射装置の存在が感知され難いものとなる。従って、かかる構成により、本発明の波紋投射装置の空間の演出性が向上し、実際に液体中に居るような臨場感が良好に創出可能となるとともに、そのリラクゼーション効果も一層高まることとなる。
【発明を実施するための最良の形態】
【００２４】
以下に、本発明の一実施例を添付図面に基づいて説明する。
本発明にかかる波紋投射装置１は、図１に示すように、天井壁８に設けられた円形窓部２と、該天井壁８上側に配設された液体を貯留する貯留液槽３と、該貯留液槽３内の液面上に配設された照明光ｌを照射する照光装置４，４と、該貯留液槽３の一角の側傍位置に配設された該貯留水槽３内の液面を波立てる造波装置５とを備える。尚、本実施例では、照光装置４を貯留液槽３内の液面上に二個配設しているが、該照光装置４は単数であっても、二個以上の複数であってよい。
【００２５】
前記円形窓部２は、図１，２に示すように、天井壁８に形成された略直径２ｍの円形状の窓孔に、化粧カバー１４をその全周に亘って嵌合させて構成される。
【００２６】
前記貯留液槽３は、底面となる位置に、円形窓部２を液密状に覆う、縦略２．３ｍ×横略２．３ｍの板幅の正方形状のガラス製透明板１０を備える。該透明板１０の四辺端からは、略矩形状のステンレス製側面壁１１，１１，１１，１１が夫々立設されている。ここで、側面壁１１，１１，１１，１１は、下端に透明板１０を載置可能な突出部を有するＬ字断面形状のものとなっており、該側面壁１１，１１，１１，１１により、透明板１０が四辺端で支持されるとともに、正方形状に囲繞されることとなっている。各側面壁１１，１１，１１，１１間は、溶接により液密に接合される。また、透明板１０と各側面壁１１間は、シール材１３によって液密に密閉される。そして、これにより、透明板１０上側と各側面壁１１内側とで区画される領域が液密状となり、該領域を液体の貯留領域とする貯留液槽３が形成されている。本実施例では、該貯留液槽３内に、底面である透明板１０上面から所要高さ（例えば水位１０ｃｍ程度）まで水ｗが貯留されており、その水面の様態が、透明板１０により液密状に遮蔽された円形窓部２を介して、天井壁８の下方から視認可能となっている。
【００２７】
ところで、本実施例では、貯留液槽３の周囲に、貯留液槽３内に貯留された水ｗの水位と略同等の高さの床部材１５が、該貯留液槽３を囲繞するように配設される。該床部材１５は、貯留液槽３の各側面壁１１外側にて、該貯留液槽３と螺子固定により連結されて、貯留液槽３と床部材１５とが一体的なものとなっている。そして、図２に示すように、床部材１５が、多数の吊り部材１６によって天井壁８上方から吊り下げられて、貯留液槽３が天井壁８に略接する状態で、水平状に円形窓部２上で支持される構成となっている。かかる構成とすることにより、液体を貯留する貯留液槽３の荷重によって天井壁８が崩落する等の事故を有効に防止することができる。
【００２８】
前記照光装置４，４は、図３に示すように、放物線状に湾曲した曲板１８を、左右で所定形状の平板１９，１９により遮蔽してなり、前方に矩形開口部を有するシェード２０を備える。シェード２０の内側には、電装されたソケット２１が、片側の平板１９に横向きに配設され、該ソケット２１には、点光源である放電電球２２が取り付けられる。また、シェード２０には、前方の矩形開口部の左右両側に、遮光板２３，２３が夫々配設されており、図４に示すように、該遮光板２３，２３によって、放電電球２２から照射される照明光ｌの略全てが、円形窓部２上の水面を照射するようになるとともに、前記ソケット２１が下方から隠匿されるようになっている。ここで、天井壁８の上方を構成する各壁面は黒色に塗装されており、また、該照光装置４，４も、放電電球２２を除く全ての部分が黒色に塗装されていて、天井壁８下方からは、放電電球２２の点光源のみが視認可能となっている。かかる構成とすることにより、照光装置４，４からの照明光ｌが、太陽光に近い自然なものとなり、また天井壁８上方の空間が暗い状態に保たれることから、該照明光ｌが貯留水槽３内の水ｗを透過することにより、天井壁８下方の壁面に、鮮明で周囲と調和の取れた自然な水面の様態が投射されることとなる。これら照光装置４，４は、図１に示すように、その一方が、複数のＬ字部材を螺子固定により組立ててなる脚部２４に固定されて、シェード２０の開口部が貯留液槽３内の水面を斜方から臨むように、前記床部材１５上の貯留液槽３側傍に配設されており、また他方が、吊り部材２５により天井壁８上方に吊支されて、貯留液槽３内の水面上に配設されている。そして、照光装置４，４からのシャープな照明光が、貯留液槽３内に貯留された水ｗ及び前記透明板１０を透過し、前記円形窓部２を介して、天井壁８の下方の壁面（図示省略）に照射されることにより、貯留液槽３内の円形窓部２上の水面の様態が、かかる壁面に鮮明に投射可能となっている。
【００２９】
また、前記造波装置５は、図５に示すように、複数のＬ字部材を螺子固定により組み付けてなる枠体３０を備える。該枠体３０は、最上部を構成するＬ字部材３１，３１が、前方へ張り出すように設けられており、その先端には、側面に揺動軸棒３３を支持するための円孔が形成された棒支持部材３２，３２が、該円孔が形成された側面が互いに対向するように、夫々取り付けられている。そして、該棒支持部材３２，３２には、該棒支持部材３２，３２を差し渡すように、揺動軸棒３３の両端が各棒支持部材３２，３２の円孔に夫々挿入されて水平状に支持されている。また、揺動軸棒３３には、一方の先端の左右の側面に夫々円孔が形成された、Ｕ字断面形状で長さ略５０ｃｍの揺動部材３４が、前記棒支持部材３２，３２間にて、揺動軸棒３３に挿嵌されて、回動可能に軸支されている。揺動部材３４には、他方の先端に、板厚略２ｍｍ、縦略２５ｃｍ×横略１０ｃｍの板幅の造波板３５が取り付けられており、該揺動部材３４が揺動軸棒３３を中心として所定角度範囲で回動することにより、造波板３５が、前後方向に揺動するようなっている。ここで、造波板３５は、揺動部材３４が揺動軸棒３３から垂下した状態で、前面が斜め上方を向くように配設されており、後述する貯留液槽３内の水ｗに浸漬した状態で揺動した場合に、造波板３５の前後面で異なった態様の主要波が形成されるようになっている。また、揺動部材３４には、所定の中途位置の左右の側面に夫々円孔が形成されて、該円孔に回転軸棒３８ａが水平状に挿嵌されている。
【００３０】
また、枠体３０には、駆動モータ４０が、枠体３０と該枠体３０から差し渡された支持板３７とに螺子固定することにより、該枠体３０の一側面に取り付けられている。該駆動モータ４０は、後述する駆動制御装置４５に駆動制御されて、駆動制御手段４５からの制御信号に基づいて、所定の駆動態様でモータ出力軸（図示省略）を回転させるものである。駆動モータ４０には、モータ出力軸の先端に回転盤４１が、該回転盤４１の後面の中心位置で連結されており、該駆動モータ４０の駆動により回転盤４１が回転可能となっている。回転盤４１には、前面の周縁となる位置に、回転軸棒３８ｂが該回転盤４１から立設するように配設されている。また、回転軸棒３８ｂには、連結棒４２の一端が回動可能に軸支されている。該連結棒４２は、他端が、揺動部材３４の中途位置に配設された前記回転軸棒３８ａに回動可能に軸支されている。即ち、両端が回動可能に軸支された連結棒４２により、揺動部材３４と回転盤４１とが連結されており、これによりカム機構が構成されて、駆動モータ４０の駆動による回転盤４１の回転運動が、揺動部材３４の回動運動に変換されるようになっている。
【００３１】
また、枠体３０の他側の側面には、前記駆動モータ４０の駆動制御手段として、駆動制御装置４５が螺設されている。駆動制御装置４５は、前面にパネル板４６が装着されており、該パネル板４６には、押圧式の電源スイッチ４７、ダイアル式の速度設定スイッチ４８、スライド式の時間設定スイッチ４９，５０が配設されている。ここで、速度設定スイッチ４８は、駆動モータ４０の駆動態様を決定して、モータ出力軸の回転速度を設定するためのものであり、時間設定スイッチ４９，５０は、駆動モータ４０を間欠的に駆動させるために、該駆動モータ４０が連続して作動する駆動時間と、各作動の間の停止時間とを夫々設定するためのものである。また、駆動制御装置４５には、マイクロコンピュータにより構成される制御基板（図示省略）が内蔵されている。制御基板には、前記各種スイッチ４７〜５０と接続する入力ポート（図示省略）と、駆動モータ４０と接続する出力ポート（図示省略）が設けられており、所定時間毎（例えば２ｍｓ毎）に入力ポートに接続された各スイッチ４７，４８，４９，５０の作動状態を調べ、その作動状態に応じた制御信号を出力ポートから該駆動モータ４０に送出して、該駆動モータ４０の駆動制御を行うようになっている。
【００３２】
本実施例では、かかる構成の造波装置５が、図１に示すように、前記床部材１５上側で、貯留液槽３の一角の側傍位置に配置される。そして、造波装置５の前記Ｌ字部材３１，３１の先端が、貯留液槽３内の一角の隅部位置Ｃの直上に張出して、該Ｌ字部材３１，３１の先端にて水平支持された揺動軸棒３３から垂下した揺動部材３４の一端に固定された造波板３５が、貯留液槽３内の隅部位置Ｃにて、該貯留液槽３内に貯留された水ｗに、水位の略七割程度浸漬した状態（例えば、貯留液槽３に貯留された水ｗの水位が略１０ｃｍの場合では、造波板３５が略７ｃｍ浸漬した状態）で、対向する一側の側面壁１１ａ，１１ａ（１１，１１）と平行として配設される。また、本実施例にあっては、揺動部材３４が揺動軸棒３３を中心として、該揺動部材３４が垂下した状態から±７．５°範囲を往復回動するように、前記連結棒４２が揺動部材３４と回転盤４１とに連結されて、カム機構が構成されている。ここで、揺動部材３４の回動角度範囲は、揺動部材３４の中途位置に配設された前記回転軸棒３８ａの位置や、回転盤４１の前面に立設状に配設された回転軸棒３８ｂの位置を変更することで、希望の値に適宜設定することが可能となっている。
【００３３】
上記本実施例の波紋投射装置１の構成にあっては、造波装置５の電源スイッチ４７を押圧操作し、速度設定スイッチ４８と時間設定スイッチ４９，５０を夫々操作して、駆動モータ４０の駆動態様を設定することにより（例えば、モータ出力軸の回転速度３０ｒｐｍ、駆動時間９０秒、停止時間４５秒）、駆動制御装置４５からの制御信号に基づいて、該駆動モータ４０が設定された態様で駆動して、揺動部材３４と回転盤４１と連結棒４２とにより構成されるカム機構により、造波板３５が貯留液槽３内の隅部位置Ｃにて、該貯留液槽３内の水ｗに浸漬した状態で、他側の側面壁１１ｂ，１１ｂ（１１，１１）に沿って、間欠的な揺動運動を開始する。これにより、貯留液槽３内の水面には、多数の主要波が間欠的に発生し、該主要波が、造波板３５の揺動方向に平行する隣接の側面壁１１ｂ，１１ｂに沿って、対向する一側の側面壁１１ａ，１１ａに向かって進行し、反射や干渉を繰り返すこととなる。そして、時間が経過するにつれて、主要波の反射や干渉により派生的に発生する波や、各造波板３５の間欠的な揺動運動に起因して発生する波等の副次的に発生する波が、貯留液槽３内の円形窓部２上の水面に伝播して、水面の様態は、波形や伝達速度、振幅等が様々に異なった多数の波が互いに干渉を繰り返す、変化に富んだ自然なものとなる。このため、水面上に配設された照光装置４，４からの太陽光に近いシャープな照明光が、貯留液槽３内の水ｗ及び透明板１０を透過して、天井壁８の下方の空間（例えば、ホール）を構成する周壁や床等の壁面に照射されることにより、該壁面には、多様に刻々と変化する、不定形で自然な水面の揺らぎや波紋が投射されることとなる。従って、かかる構成にあっては、自然で多様な液面の揺らぎや波紋を天井壁８の下方の壁面に投射可能であるため、天井壁８の下方の空間に居る者に、実際に液中に居るという臨場感を体感させることが可能となり、また、自然で心地よい快適な空間演出により、自然本来の持つ優れたリラクゼーション効果を供与することができる。
【００３４】
上述した実施例にあっては、造波装置５を貯留液槽３の一角の側傍位置に配設する構成となっているが、その他の構成として、貯留液槽３’が、大形の円形窓部２’を側面壁１１’，１１’，１１’，１１’により正方形状に囲繞してなる、比較的大きいものの場合では、図６のように、貯留液槽３’の一対の対角位置に夫々造波装置５，５を配設することもできる。このように、二つの造波装置５，５を配設することにより、比較的広い貯留液槽３’を備えた波紋投射装置１’にあっても該貯留液槽３’内の液面を適正かつ効果的に波立たせることができ得る。
【００３５】
以上、本発明にかかる波紋投射装置の一実施例を説明したが、本発明は、上記実施例の構成に限定されるものではなく、本発明の趣旨の範囲内において、波紋投射装置の構成を適宜変更することが可能である。例えば、本実施例にあっては、天井壁８上側に正方形状の透明板１０を配置することにより円形窓部２を液密状に遮蔽しているが、これは、円形窓部の形状に合致する円形状の強化プラスチック製透明板を、該円形窓部の窓孔側面に嵌合し、これにより、円形窓部を液密状に遮蔽するような構成とすることも可能である。また、揺動部材が軸支された揺動軸棒を、駆動モータのモータ出力軸により構成し、揺動部材を駆動モータにより直接回動させるようにして、該駆動モータが、揺動部材を間欠的に、かつ回動速度や回動角度範囲を随時変化させて駆動するような構成とすることも好適である。
【図面の簡単な説明】
【００３６】
【図１】本発明に係る波紋投射装置１の外観斜視図である。
【図２】貯留液槽３及び天井壁８を縦断して、円形窓部２及び該貯留液槽３の構成を          示す説明図である。
【図３】シェード２０を一部縦断して、照光装置４の構成を示す説明図である。
【図４】照光装置４の照射領域を示す説明図である。
【図５】造波装置５の外観斜視図である。
【図６】造波装置５，５を貯留水槽３’の一対の対角位置に夫々配設してなる波紋投射装置１’の外観斜視図である。
【符号の説明】
【００３７】
１，１’  波紋投射装置
２，２’  円形窓部
３，３’  貯留液槽
４  照光装置
５  造波装置
８  天井壁
１０  透明板
１１，１１ａ，１１ｂ，１１’  側面壁
２０  シェード
２２  放電電球
２３  遮光板
３０  枠体
３５  造波板
４０  駆動モータ
４５  駆動制御装置
ｌ  照明光
ｗ  水
Ｃ  隅部位置
【図１】
2006185651.tif 000003
【図２】
2006185651.tif 000004
【図３】
2006185651.tif 000005
【図４】
2006185651.tif 000006
【図５】
2006185651.tif 000007
【図６】
2006185651.tif 000008